(57)【要約】【課題】機密情報の漏洩を防ぎつつ、印刷業者に印刷対象情報の印刷を依頼する者が、印刷対象情報を入稿する前に印刷対象情報が印刷された場合の仕上がり具合の確認を行えるようにすること。【解決手段】印刷指示送信部６０は、印刷指示を印刷装置４に送信する。評価用レコード送信部６２は、印刷対象データに含まれるレコードを評価用レコードとして印刷装置４に送信する。機密文字列置換部６２Ｂは、評価用レコードに機密文字列が含まれる場合、評価用レコード送信部６２が、機密文字列を含む評価用レコードを前記印刷装置４に送信する前に、該機密文字列をダミー文字列で置換する。【選択図】図１０
2010186326.tif 000002
【特許請求の範囲】
【請求項１】
印刷指示装置と、印刷装置と、を含み、
前記印刷指示装置は、
印刷指示を前記印刷装置に送信する印刷指示送信手段と、
前記印刷指示の対象となる印刷対象情報の識別情報を前記印刷装置に送信する識別情報送信手段と、
前記印刷指示の対象となる印刷対象情報の少なくとも一部を評価用情報として、前記印刷装置に送信する評価用情報送信手段と、
を含み、
前記印刷装置は、
前記印刷指示送信手段により送信された印刷指示を受信する印刷指示受信手段と、
前記識別情報送信手段により送信された識別情報を受信する識別情報受信手段と、
前記評価用情報送信手段により送信された評価用情報を対象として、前記印刷指示受信手段により受信された印刷指示に基づく印刷処理が行われた場合の結果を表す結果情報を生成する結果生成手段と、
前記結果生成手段により生成された結果情報を前記印刷指示装置に送信する結果送信手段と、
前記結果送信手段が前記結果情報を前記印刷指示装置に送信した後に、印刷対象情報が格納された記憶媒体から読み取られた情報に基づいて、該印刷対象情報の識別情報を取得する識別情報取得手段と、
前記識別情報受信手段により受信された識別情報と、前記識別情報取得手段により取得された識別情報と、が一致する場合に、前記記憶媒体に格納される印刷対象情報を対象として、前記印刷指示受信手段により受信された印刷指示に基づく印刷処理を実行する手段と、
を含み、
前記評価用情報送信手段は、
前記評価用情報に機密条件を満足する機密情報が含まれる場合、該評価情報に含まれる機密情報を代替情報で置換する置換手段を含み、
前記置換手段により前記機密情報が前記代替情報で置換された前記評価用情報を送信すること、
を特徴とする印刷システム。
【請求項２】
前記印刷指示装置は、
前記置換手段により前記機密情報が前記代替情報で置換された前記評価用情報が送信された場合、どの機密情報がどの代替情報で置換されたかを案内する案内手段をさらに含むこと、
を特徴とする請求項１に記載の印刷システム。
【請求項３】
前記印刷指示装置は、
前記印刷指示の対象となる印刷対象情報に含まれる情報量を表す数値を取得する情報量取得手段と、
前記評価用情報送信手段は、
前記情報量取得手段により取得された数値が予め定められた条件を満足する場合に、前記印刷指示の対象となる印刷対象情報の一部を評価用情報として前記印刷装置に送信すること、
を特徴とする請求項１又は２に記載の印刷システム。
【請求項４】
前記印刷指示装置は、
前記情報量取得手段により取得された数値を前記印刷装置に送信する情報量送信手段をさらに含み、
前記印刷装置は、
前記情報量送信手段により送信された数値に基づいて、該数値に応じた数値を取得する数値取得手段と、
前記数値取得手段により取得された数値を前記印刷指示装置に送信する数値送信手段と、
をさらに含むことを特徴とする請求項１乃至３のいずれかに記載の印刷システム。
【請求項５】
前記置換手段は、
前記代替情報を、該代替情報で置換する機密情報の内容に基づいて決定すること、
を特徴とする請求項１乃至４のいずれかに記載の印刷システム。
【請求項６】
前記識別情報送信手段は、
前記印刷指示の対象となる印刷対象情報の識別情報を、該印刷対象情報の内容に基づいて生成し、
前記識別情報取得手段は、
前記記憶媒体から読み取られた印刷対象情報の内容に基づいて、該印刷対象情報の識別情報を生成すること、
を特徴とする請求項１乃至５のいずれかに記載の印刷システム。
【請求項７】
印刷指示を印刷装置に送信する印刷指示送信手段と、
前記印刷指示の対象となる印刷対象情報の識別情報を前記印刷装置に送信する識別情報送信手段と、
前記印刷指示の対象となる印刷対象情報の少なくとも一部を評価用情報として、前記印刷装置に送信する評価用情報送信手段と、
を含み、
前記評価用情報送信手段は、
前記評価用情報に機密条件を満足する機密情報が含まれる場合、該評価用情報に含まれる機密情報を代替情報で置換する置換手段を含み、
前記置換手段により前記機密情報が前記代替情報で置換された前記評価用情報を送信すること、
を特徴とする印刷指示装置。
【請求項８】
印刷指示装置としてコンピュータを機能させるプログラムであって、
印刷指示を印刷装置に送信する印刷指示送信手段、
前記印刷指示の対象となる印刷対象情報の識別情報を前記印刷装置に送信する識別情報送信手段、
前記印刷指示の対象となる印刷対象情報の少なくとも一部を評価用情報として、前記印刷装置に送信する評価用情報送信手段、
として前記コンピュータを機能させ、
前記評価用情報送信手段は、
前記評価用情報に機密条件を満足する機密情報が含まれる場合、該評価用情報に含まれる機密情報を代替情報で置換する置換手段を含み、
前記置換手段により前記機密情報が前記代替情報で置換された前記評価用情報を送信すること、
を特徴とする前記プログラム。
【請求項９】
印刷指示を印刷指示装置から受信する印刷指示受信手段と、
前記印刷指示の対象となる印刷対象情報の識別情報を前記印刷指示装置から受信する識別情報受信手段と、
前記印刷指示の対象となる印刷対象情報の少なくとも一部を評価用情報として前記印刷指示装置から受信する手段と、
前記評価用情報を対象として、前記印刷指示受信手段により受信された印刷指示に基づく印刷処理が行われた場合の結果を表す結果情報を生成する結果生成手段と、
前記結果生成手段により生成された結果情報を前記印刷指示装置に送信する結果送信手段と、
前記結果送信手段が前記結果情報を前記印刷指示装置に送信した後に、印刷対象情報が格納された記憶媒体から読み取られた情報に基づいて、該印刷対象情報の識別情報を取得する識別情報取得手段と、
前記識別情報受信手段により受信された識別情報と、前記識別情報取得手段により取得された識別情報と、が一致する場合に、前記記憶媒体に格納される印刷対象情報を対象として、前記印刷指示受信手段により受信された印刷指示に基づく印刷処理を実行する手段と、
を含むことを特徴とする印刷装置。
【請求項１０】
印刷装置としてコンピュータを機能させるプログラムであって、
印刷指示を印刷指示装置から受信する印刷指示受信手段、
前記印刷指示の対象となる印刷対象情報の識別情報を前記印刷指示装置から受信する識別情報受信手段、
前記印刷指示の対象となる印刷対象情報の少なくとも一部を評価用情報として前記印刷指示装置から受信する手段、
前記評価用情報を対象として、前記印刷指示受信手段により受信された印刷指示に基づく印刷処理が行われた場合の結果を表す結果情報を生成する結果生成手段、
前記結果生成手段により生成された結果情報を前記印刷指示装置に送信する結果送信手段、
前記結果送信手段が前記結果情報を前記印刷指示装置に送信した後に、印刷対象情報が格納された記憶媒体から読み取られた情報に基づいて、該印刷対象情報の識別情報を取得する識別情報取得手段、
前記識別情報受信手段により受信された識別情報と、前記識別情報取得手段により取得された識別情報と、が一致する場合に、前記記憶媒体に格納される印刷対象情報を対象として、前記印刷指示受信手段により受信された印刷指示に基づく印刷処理を実行する手段、
として前記コンピュータを機能させる前記プログラム。
【発明の詳細な説明】
【技術分野】
【０００１】
本発明は、印刷システム、印刷指示装置、印刷装置及びプログラムに関する。
【背景技術】
【０００２】
印刷対象となる電子原稿（印刷対象情報）をネットワークなどの電子通信手段を介して印刷装置に送信することが行われている。例えば、印刷業者に電子原稿の印刷を依頼する場合、依頼者は、電子原稿の印刷の依頼を実際に行う前に、すなわち、電子原稿を実際に入稿する前に、電子原稿の印刷の仕上がり具合を知りたい場合がある。かかる場合、依頼者は、印刷業者の印刷装置による印刷プレビューを得るために、電子原稿の少なくとも一部をネットワークを介して印刷業者の印刷装置に送信する。
【０００３】
なお、下記特許文献１には電子原稿の入稿を電子通信手段を介して行う技術が開示されている。
【先行技術文献】
【特許文献】
【０００４】
【特許文献１】特開２００８−１２３３０９号公報
【発明の概要】
【発明が解決しようとする課題】
【０００５】
本発明の目的は、機密情報の漏洩を防ぎつつ、印刷業者に印刷対象情報の印刷を依頼する者が、印刷対象情報を入稿する前に印刷対象情報が印刷された場合の仕上がり具合の確認を行えるようになる印刷システム、印刷指示装置、印刷装置、及び印刷装置のプログラムを提供することである。
【課題を解決するための手段】
【０００６】
上記課題を解決するために、請求項１の印刷システムは、印刷指示装置と、印刷装置と、を含み、前記印刷指示装置は、印刷指示を前記印刷装置に送信する印刷指示送信手段と、前記印刷指示の対象となる印刷対象情報の識別情報を前記印刷装置に送信する識別情報送信手段と、前記印刷指示の対象となる印刷対象情報の少なくとも一部を評価用情報として、前記印刷装置に送信する評価用情報送信手段と、を含み、前記印刷装置は、前記印刷指示送信手段により送信された印刷指示を受信する印刷指示受信手段と、前記識別情報送信手段により送信された識別情報を受信する識別情報受信手段と、前記評価用情報送信手段により送信された評価用情報を対象として、前記印刷指示受信手段により受信された印刷指示に基づく印刷処理が行われた場合の結果を表す結果情報を生成する結果生成手段と、前記結果生成手段により生成された結果情報を前記印刷指示装置に送信する結果送信手段と、前記結果送信手段が前記結果情報を前記印刷指示装置に送信した後に、印刷対象情報が格納された記憶媒体から読み取られた情報に基づいて、該印刷対象情報の識別情報を取得する識別情報取得手段と、前記識別情報受信手段により受信された識別情報と、前記識別情報取得手段により取得された識別情報と、が一致する場合に、前記記憶媒体に格納される印刷対象情報を対象として、前記印刷指示受信手段により受信された印刷指示に基づく印刷処理を実行する手段と、を含み、前記評価用情報送信手段は、前記評価用情報に機密条件を満足する機密情報が含まれる場合、該評価情報に含まれる機密情報を代替情報で置換する置換手段を含み、前記置換手段により前記機密情報が前記代替情報で置換された前記評価用情報を送信することを特徴とする。
【０００７】
また、請求項２の印刷システムは、請求項１の印刷システムにおいて、前記印刷指示装置は、前記置換手段により前記機密情報が前記代替情報で置換された前記評価用情報が送信された場合、どの機密情報がどの代替情報で置換されたかを案内する案内手段をさらに含むことを特徴とする。
【０００８】
また、請求項３の印刷システムは、請求項１又は請求項２の印刷システムにおいて、前記印刷指示装置は、前記印刷指示の対象となる印刷対象情報に含まれる情報量を表す数値を取得する情報量取得手段と、前記評価用情報送信手段は、前記情報量取得手段により取得された数値が予め定められた条件を満足する場合に、前記印刷指示の対象となる印刷対象情報の一部を評価用情報として前記印刷装置に送信することを特徴とする。
【０００９】
また、請求項４の印刷システムは、請求項１乃至３のいずれかの印刷システムにおいて、前記印刷指示装置は、前記情報量取得手段により取得された数値を前記印刷装置に送信する情報量送信手段をさらに含み、前記印刷装置は、前記情報量送信手段により送信された数値に基づいて、該数値に応じた数値を取得する数値取得手段と、前記数値取得手段により取得された数値を前記印刷指示装置に送信する数値送信手段とをさらに含むことを特徴とする。
【００１０】
また、請求項５の印刷システムは、請求項１乃至４のいずれかの印刷システムにおいて、前記置換手段は、前記代替情報を、該代替情報で置換する機密情報の内容に基づいて決定することを特徴とする。
【００１１】
また、請求項６の印刷システムは、請求項１乃至５のいずれかの印刷システムにおいて、前記識別情報送信手段は、前記印刷指示の対象となる印刷対象情報の識別情報を、該印刷対象情報の内容に基づいて生成し、前記識別情報取得手段は、前記記憶媒体から読み取られた印刷対象情報の内容に基づいて、該印刷対象情報の識別情報を生成することを特徴とする。
【００１２】
また、上記課題を解決するために、請求項７の印刷指示装置は、印刷指示を印刷装置に送信する印刷指示送信手段と、前記印刷指示の対象となる印刷対象情報の識別情報を前記印刷装置に送信する識別情報送信手段と、前記印刷指示の対象となる印刷対象情報の少なくとも一部を評価用情報として、前記印刷装置に送信する評価用情報送信手段と、を含み、前記評価用情報送信手段は、前記評価用情報に機密条件を満足する機密情報が含まれる場合、該評価用情報に含まれる機密情報を代替情報で置換する置換手段を含み、前記置換手段により前記機密情報が前記代替情報で置換された前記評価用情報を送信すること、を特徴とする。
【００１３】
また、上記課題を解決するために、請求項８のプログラムは、印刷指示装置としてコンピュータを機能させるプログラムであって、印刷指示を印刷装置に送信する印刷指示送信手段、前記印刷指示の対象となる印刷対象情報の識別情報を前記印刷装置に送信する識別情報送信手段、前記印刷指示の対象となる印刷対象情報の少なくとも一部を評価用情報として、前記印刷装置に送信する評価用情報送信手段、として前記コンピュータを機能させ、前記評価用情報送信手段は、前記評価用情報に機密条件を満足する機密情報が含まれる場合、該評価用情報に含まれる機密情報を代替情報で置換する置換手段を含み、前記置換手段により前記機密情報が前記代替情報で置換された前記評価用情報を送信することを特徴とする。
【００１４】
また、上記課題を解決するために、請求項９の印刷装置は、印刷指示を印刷指示装置から受信する印刷指示受信手段と、前記印刷指示の対象となる印刷対象情報の識別情報を前記印刷指示装置から受信する識別情報受信手段と、前記印刷指示の対象となる印刷対象情報の少なくとも一部を評価用情報として前記印刷指示装置から受信する手段と、前記評価用情報を対象として、前記印刷指示受信手段により受信された印刷指示に基づく印刷処理が行われた場合の結果を表す結果情報を生成する結果生成手段と、前記結果生成手段により生成された結果情報を前記印刷指示装置に送信する結果送信手段と、前記結果送信手段が前記結果情報を前記印刷指示装置に送信した後に、印刷対象情報が格納された記憶媒体から読み取られた情報に基づいて、該印刷対象情報の識別情報を取得する識別情報取得手段と、前記識別情報受信手段により受信された識別情報と、前記識別情報取得手段により取得された識別情報と、が一致する場合に、前記記憶媒体に格納される印刷対象情報を対象として、前記印刷指示受信手段により受信された印刷指示に基づく印刷処理を実行する手段とを含むことを特徴とする。
【００１５】
また、上記課題を解決するために、請求項１０のプログラムは、印刷装置としてコンピュータを機能させるプログラムであって、印刷指示を印刷指示装置から受信する印刷指示受信手段、前記印刷指示の対象となる印刷対象情報の識別情報を前記印刷指示装置から受信する識別情報受信手段、前記印刷指示の対象となる印刷対象情報の少なくとも一部を評価用情報として前記印刷指示装置から受信する手段、前記評価用情報を対象として、前記印刷指示受信手段により受信された印刷指示に基づく印刷処理が行われた場合の結果を表す結果情報を生成する結果生成手段、前記結果生成手段により生成された結果情報を前記印刷指示装置に送信する結果送信手段、前記結果送信手段が前記結果情報を前記印刷指示装置に送信した後に、印刷対象情報が格納された記憶媒体から読み取られた情報に基づいて、該印刷対象情報の識別情報を取得する識別情報取得手段、前記識別情報受信手段により受信された識別情報と、前記識別情報取得手段により取得された識別情報と、が一致する場合に、前記記憶媒体に格納される印刷対象情報を対象として、前記印刷指示受信手段により受信された印刷指示に基づく印刷処理を実行する手段、として前記コンピュータを機能させることを特徴とする。
【００１６】
なお、上記プログラムは、インターネットなどの通信ネットワークを介して提供されてもよいし、フレキシブルディスク、ＣＤ−ＲＯＭ、ＤＶＤ−ＲＯＭなどのコンピュータ読み取り可能な各種情報記録媒体に格納されて提供されてもよい。
【００１７】
また、上記プログラムは、コンピュータ読み取り可能な情報記録媒体に記憶されてもよい。情報記録媒体としては、例えば、磁気テープ、フレキシブルディスク、ハードディスク、ＣＤ−ＲＯＭ、ＭＯ、ＭＤ、ＤＶＤ−ＲＯＭ、ＩＣカードなどを用いることができる。
【発明の効果】
【００１８】
請求項１，７，８，９，１０の発明によれば機密情報の漏洩を防ぎつつ、印刷業者に印刷対象情報の印刷を依頼する者が、印刷対象情報を入稿する前に印刷対象情報が印刷された場合の仕上がり具合の確認を行えるようになる。
【００１９】
請求項２の発明によれば、印刷業者に印刷対象情報の印刷を依頼する者が、どの機密情報がどの代替情報で置換されたかがわかるようになる。
【００２０】
請求項３の発明によれば、印刷業者に印刷対象情報の印刷を依頼する者が、印刷対象情報を入稿する前に印刷対象情報が印刷された場合の仕上がり具合の確認を行えるようにしつつ、ネットワークリソースの使用量が抑制されるようになる。
【００２１】
請求項４の発明によれば、例えば、印刷業者に印刷対象情報の印刷を依頼する者が、印刷対象情報の印刷を印刷業者に依頼する前に、印刷代金の見積もりを得られるようになる。
【００２２】
請求項５の発明によれば、本構成を有しない場合に比して、印刷業者に印刷対象情報の印刷を依頼する者が、印刷対象情報を入稿する前に印刷対象情報が印刷された場合の仕上がり具合の確認を行いやすくなる。
【００２３】
請求項６の発明によれば、電子通信手段を用いずに入稿された印刷対象情報を受け取った印刷業者が印刷対象情報の印刷を実際に行う際の負担が軽減されるようになる。
【図面の簡単な説明】
【００２４】
【図１】本発明の実施形態に係る印刷システムの構成を示す図である。
【図２】印刷対象データの一例を示す図である。
【図３】ひな形の一例を示す図である。
【図４】クライアント装置と印刷装置とで実行される処理の一例を示す図である。
【図５】クライアント装置で実行される処理の一例を示す図である。
【図６】印刷装置に送信される評価用レコードの一例を示す図である。
【図７】プレビュー画面の一例を示す図である。
【図８】プレビュー画面の一例を示す図である。
【図９】印刷装置で実行される処理の一例を示す図である。
【図１０】クライアント装置及び印刷装置が有する機能を示す機能ブロック図である。
【発明を実施するための形態】
【００２５】
［１．印刷システムの構成］
本発明の実施形態について図面を参照しながら説明する。図１は、本発明の実施形態に係る印刷システム１の構成を示す図である。同図に示すように、印刷システム１は、発注者のクライアント装置２（印刷指示装置）と、印刷業者の印刷装置４と、を含む。クライアント装置２と、印刷装置４と、はネットワークを介してデータ授受可能である。
【００２６】
［２．クライアント装置の構成］
図１に示すように、クライアント装置２は、制御部１０、主記憶部１２、補助記憶部１４、操作部１６、表示部１８、及び通信インタフェース２０を含む公知のコンピュータシステムである。各部は、バス２２を介してデータ授受可能である。
【００２７】
制御部１０は例えばマイクロプロセッサである。制御部１０は、主記憶部１２に記憶される発注用プログラムに従って情報処理を実行する。主記憶部１２は例えばＲＡＭである。主記憶部１２には上記発注用プログラムが格納される。また主記憶部１２には情報処理の過程で必要となる各種情報が格納される。操作部１６は、ユーザが操作入力を行うためのユーザインタフェースである。操作部１６は例えばキーボードやマウスである。表示部１８は、例えばディスプレイである。表示部１８は、制御部１０から出力される情報を表示する。通信インタフェース２０は、例えばネットワークインタフェースカードである。通信インタフェース２０は、制御部１０から出力される情報をネットワークに送信したり、ネットワークから情報を受信したりする。
【００２８】
補助記憶部１４は例えばハードディスクである。補助記憶部１４には各種情報が格納される。本実施形態の場合、補助記憶部１４には、印刷対象データが格納される。図２は、印刷対象データの一例を示す図である。同図に示すように、印刷対象データは、複数のレコードを含むテーブルである。各レコードは、フィールドＡと、フィールドＢと、フィールドＣと、フィールドＤと、フィールドＥと、を含む。
【００２９】
最上段のレコードＳ（以下、基準レコードＳと記載する）の各フィールドには、他のレコードの該フィールドに格納される文字列が属する種別の名称を示す文字列が格納される。例えば、図２では、基準レコードＳのフィールドＡには、文字列「郵便番号」が格納され、基準レコードＳのフィールドＢには、文字列「住所」が格納され、基準レコードＳのフィールドＣには、文字列「氏」が格納され、基準レコードＳのフィールドＤには、文字列「名」が格納され、基準レコードＳのフィールドＥには、文字列「キャッチフレーズ」が格納されている。
【００３０】
一方、基準レコードＳ以外のレコードの各フィールドには、基準レコードＳの該フィールドに格納される文字列が表す種別に属する文字列が格納される。例えば、図２では、基準レコードＳ以外のレコードのフィールドＡには、「郵便番号」を示す文字列が格納され、基準レコードＳ以外のレコードのフィールドＢには、「住所」を示す文字列が格納され、基準レコードＳ以外のレコードのフィールドＣには、「氏」を示す文字列が格納され、基準レコードＳ以外のレコードのフィールドＤには、「名」を示す文字列が格納され、基準レコードＳ以外のレコードのフィールドＥには、「キャッチフレーズ」を示す文字列が格納されている。
【００３１】
［３．印刷装置の構成］
また、印刷装置４は、図１に示すように、制御部４０、主記憶部４２、通信インタフェース４４、補助記憶部４６、操作部４８、及び画像形成部５０を含む公知のコンピュータシステムである。各部は、バス５２を介してデータ授受可能である。これらの他にも、印刷装置４は、記憶媒体に格納される情報を読み取る情報読取装置等を含む。
【００３２】
制御部４０は例えばマイクロプロセッサである。制御部４０は、主記憶部４２に記憶される受注用プログラムに従って情報処理を実行する。主記憶部４２は例えばＲＡＭである。主記憶部４２には上記受注用プログラムが格納される。また主記憶部４２には情報処理の過程で必要となる各種情報が格納される。操作部４８は、ユーザが操作入力を行うためのユーザインタフェースである。操作部４８は例えばキーボードやマウスである。画像形成部５０は、例えばプリンタである。画像形成部５０は、制御部４０から出力される画像を印刷する。通信インタフェース４４は、例えばネットワークインタフェースカードである。通信インタフェース４４は、制御部４０から出力される情報をネットワークに送信したり、ネットワークから情報を受信したりする。
【００３３】
補助記憶部４６は例えばハードディスクである。補助記憶部４６には各種情報が格納される。本実施形態の場合、補助記憶部４６には、ダイレクトメールのひな形が複数格納される。
【００３４】
図３は、上記ひな形の一例を示す図である。同図に示すように、ひな形は、エリアＡ、エリアＢ、エリアＣ、エリアＤ、及びエリアＥを含む。ここでは、エリアＡは、郵便番号の記入欄であり、エリアＢは、住所の記入欄であり、エリアＣは、姓の記入欄であり、エリアＤは、名の記入欄であり、エリアＥは、キャッチフレーズの記入欄である。同図では、各エリアを点線で示しているが、実際には、各エリアは、空白になっている。なお、補助記憶部４６には、各エリアの範囲を示す範囲データも格納される。
【００３５】
［４．クライアント装置及び印刷装置で行われる処理］
図４、図５は、クライアント装置２及び印刷装置４で処理が行われる順番を示すシーケンス図である。このシーケンスにおいて、クライアント装置２は上記発注用プログラムに従って動作し、印刷装置４は上記受注用プログラムに従って動作する。
【００３６】
まず、発注者は、ひな形選択操作を行い、上記複数のひな形のうちから、気に入ったひな形を１つ選択する。クライアント装置２の制御部１０は、ひな形選択操作を受け付けて、発注者によって選択されたひな形のＩＤを取得する（Ｓ１０１）。また、発注者は、エリア選択操作を行い、フィールドＡからフィールドＥまでの各フィールドにつき、そのフィールドの配置対象エリアをエリアＡ〜エリアＥのうちから選択する。通常、発注者は、フィールドＡの配置対象エリアとしてエリアＡを選択し、フィールドＢの配置対象エリアとしてエリアＢを選択し、フィールドＣの配置対象エリアとしてエリアＣを選択し、フィールドＤの配置対象エリアとしてエリアＤを選択し、フィールドＥの配置対象エリアとしてエリアＥを選択する。クライアント装置２の制御部１０は、エリア選択操作を受け付けて、各フィールドの配置対象エリアを示すエリア情報を生成する（Ｓ１０２）。
【００３７】
そして、クライアント装置２の制御部１０は、Ｓ１０１のステップで取得したひな形のＩＤと、Ｓ１０２のステップで生成したエリア情報と、を含む印刷指示を印刷装置４に送信する（Ｓ１０３）。印刷装置４は、クライアント装置２から送信された印刷指示を受信する（Ｓ１０４）。
【００３８】
印刷指示を送信すると、クライアント装置２の制御部１０は、印刷指示の対象となる印刷対象データ（以下、注目印刷対象データと記載する）の識別情報を生成する（Ｓ１０５）。本実施形態の場合、クライアント装置２の制御部１０は、注目印刷対象データの内容に基づいて識別情報を生成する。より正確には、クライアント装置２の制御部１０は、ＭＤ５やＳＨＡ−１などの公知のアルゴリズムを用いて、注目印刷対象データのハッシュ値を、注目印刷対象データの識別情報として生成する。
【００３９】
そして、クライアント装置２の制御部１０は、Ｓ１０５のステップで生成した識別情報を印刷装置４に送信する（Ｓ１０６）。印刷装置４は、クライアント装置２から送信された識別情報を受信する（Ｓ１０７）。
【００４０】
そして、クライアント装置２の制御部１０は、注目印刷対象データに含まれるレコードのうちの少なくとも一部を評価用レコードとして読み出す（Ｓ１０８）。
【００４１】
本実施形態の場合、図５に示すように、クライアント装置２の制御部１０は、Ｓ１０８のステップにおいて、注目印刷対象データに含まれるレコードのレコード数を計数し（Ｓ２０１）、レコード数が予め定められた基準数Ｎ以下であるか否かを判定する（Ｓ２０２）。
【００４２】
そして、クライアント装置２の制御部１０は、Ｓ２０１で得たレコード数がＮ以下である場合（Ｓ２０２のＹ）、注目印刷対象データに含まれる全レコードを評価用レコードとして読み出す（Ｓ２０３）。一方、クライアント装置２の制御部１０は、Ｓ２０１で得たレコード数がＮより大きい場合（Ｓ２０２のＮ）、注目印刷対象データに含まれるレコードのうちの一部のレコードを評価用レコードとして読み出す（Ｓ２０４）。例えば、クライアント装置２の制御部１０は、注目印刷対象データに含まれるレコードのうちからランダムに選択したＮ個のレコードを評価用レコードとして読み出す。なお、Ｓ１０８のステップで評価用レコードとして読み出されたレコード群（評価用レコード群）が評価用情報に相当する。
【００４３】
そして、クライアント装置２の制御部１０は、各評価用レコードに、機密条件を満足する文字列（以下、機密文字列と記載する）が格納されている置換対象フィールドが存在するか否かを判定する（Ｓ１０９）。ここで、機密条件とは、機密種別たる「郵便番号」、「住所」、「氏」、及び「名」のうちのいずれかの種別に属する文字列が満足する条件であり、機密文字列とは、これらの機密種別のうちのいずれかに属する文字列のことを意味する。機密文字列が機密情報に相当する。
【００４４】
本実施形態の場合、クライアント装置２の制御部１０は、各評価用レコードに置換対象フィールドがあるか否かを判定するために、基準レコードＳを参照し、機密種別の名称を表す文字列「郵便番号」、「住所」、「氏」、及び「名」のいずれかを含む文字列が格納されている置換対象フィールドがあるか否かを判定する。例えば、図２によれば、フィールドＡ〜フィールドＤが置換対象フィールドに相当することとなる。
【００４５】
置換対象フィールドが存在しない場合（Ｓ１０９のＮ）、クライアント装置２の制御部１０は、Ｓ１１１のステップに進む。
【００４６】
一方、置換対象フィールドが存在する場合（Ｓ１０９のＹ）、クライアント装置２の制御部１０は、評価用レコードごとに置換対象フィールドに含まれる機密文字列をダミー文字列で置換する（Ｓ１１０）。そして、Ｓ１１１のステップに進む。ここで、クライアント装置２の制御部１０は、予め定められた文字列をダミー文字列として用いてもよい。また、クライアント装置２の制御部１０は、機密文字列の内容に基づいてダミー文字列を決定するようにしてもよい。例えば、クライアント装置２の制御部１０は、機密文字列と同じ文字数を有する文字列を辞書から抽出し、当該抽出した文字列をダミー文字列として決定するようにしてもよい。
【００４７】
Ｓ１１１のステップにおいて、クライアント装置２の制御部１０は、評価用レコード群と、Ｓ２０１のステップで得たレコード数と、を印刷装置４に送信する（Ｓ１１１）。
【００４８】
例えば、図２に示すレコードＳ１及びレコードＳ２が評価用レコードである場合、置換対象フィールドたるフィールドＡ〜フィールドＤに格納される機密文字列がダミー文字列で置換される。その結果、図６に示す評価用レコードＳ１と、評価用レコードＳ２と、が印刷装置４に送信されることとなる。なお、図６では、評価用レコードであるレコードＳ１及びレコードＳ２の双方とも、機密文字列が同じダミー文字列で置換されている。例えば、レコードＳ１及びレコードＳ２の双方とも、フィールドＡの機密文字列が同じダミー文字列「ＸＸＸ−ｘｘｘｘ」で置換されている。しかしながら、各評価用レコードの機密文字列が、それぞれ、異なるダミー文字列で置換されてもよい。
【００４９】
クライアント装置２から評価用レコード群とレコード数と、を受信すると、印刷装置４の制御部４０は、評価用レコードごとに、該評価用レコードの印刷結果画像を生成する（Ｓ１１２）。ここで、評価用レコードの印刷結果画像とは、該評価用レコードを対象にＳ１０４のステップで受信した印刷指示に基づく印刷処理を行った場合の印刷結果を表す画像である。例えば、評価用レコードＸの印刷結果画像を生成する場合、印刷装置４の制御部４０は、印刷指示に含まれるＩＤを有するひな形を補助記憶部４６から読み出した上で、印刷指示に含まれるエリア情報や上記範囲データに基づいて、評価用レコードＸの各フィールドに格納される文字列を、該フィールドの配置対象エリアに配置する。また、印刷装置４の制御部４０は、Ｓ１１２のステップにおいて、クライアント装置２から受信したレコード数に基づいて、該レコード数に応じた金額（以下、見積金額）を決定することも行う。例えば、レコード数と見積金額とを対応付けてなるテーブルの記憶内容に基づいて、見積金額を決定する。
【００５０】
そして、印刷装置４の制御部４０は、各評価用レコードの印刷結果画像と、見積金額と、上記の範囲データと、をクライアント装置２に送信する（Ｓ１１３）。
【００５１】
クライアント装置２の制御部１０は、印刷装置４から受信した印刷結果画像や見積金額などを受信すると、これらを表示部１８に表示させる（Ｓ１１４）。図７は、Ｓ１１４のステップにおいて表示部１８に表示されるプレビュー画面の一例を示す。同図に示すように、プレビュー画面は、見積結果表示欄９２と、印刷結果表示欄９３と、を含む。見積結果表示欄９２には、見積金額が表示され、印刷結果表示欄９３には、印刷結果画像が表示される。図７では、評価用レコードＳ１の印刷結果画像が表示されている。
【００５２】
なお、本実施形態の場合、クライアント装置２の制御部１０は、Ｓ１１０のステップにおいて評価用レコードに含まれる機密文字列をダミー文字列で置換していた場合、Ｓ１１４のステップにおいてその評価用レコードの印刷結果画像を表示部１８に表示させる際に、どの機密文字列がどのダミー文字列で置換されたかを発注者に案内する画像を表示部１８に表示させることも行う。
【００５３】
例えば、クライアント装置２の制御部１０は、機密文字列を含む評価用レコードＸの印刷結果画像を表示部１８に表示させる場合、機密文字列と、その機密文字列と置き換えられたダミー文字列と、を示す表も表示部１８に表示させる。
【００５４】
また、例えば、クライアント装置２の制御部１０は、機密文字列を含む評価用レコードＸの印刷結果画像を表示部１８に表示させる場合、評価用レコードＸの印刷結果画像に加えて、評価用レコードＸに格納されていた機密文字列を表示部１８に表示させる。この際、クライアント装置２の制御部１０は、図８に示すように、機密文字列ごとに、その機密文字列を囲む枠９０を、他の機密文字列とは異なる色で表示部１８に表示させる。また、クライアント装置２の制御部１０は、エリア情報と、範囲データと、に基づいて、図８に示すように、機密文字列ごとに、その機密文字列が格納されたフィールドの配置対象エリアを囲む枠９１を、その機密文字列を囲む枠９０と同じ色で表示部１８に表示させる。これにより、機密文字列と、その機密文字列と置き換えられたダミー文字列と、が同じ色の枠で囲まれることとなる。従って、どの機密文字列がどのダミー文字列で置換されたかを発注者が把握しやすくなる。また、エリア選択操作にて発注者が指定した配置対象エリアに各機密文字列が配置されたかを発注者が把握しやすくもなる。
【００５５】
図８は、Ｓ１１４のステップにおいて表示部１８に表示されるプレビュー画面の一例を示す。図８では、評価用レコードＳ１の印刷結果画像が表示されている場合を想定している。同図に示すように、プレビュー画面は、見積結果表示欄９２と印刷結果表示欄９３に加えて、機密文字列表示欄９４を含む。９４には、各機密文字列が表示される。
【００５６】
同図に示すように、フィールドＡに格納されていた機密文字列「ＡＡＡ−ａａａａ」は、枠９０Ａに囲まれ、フィールドＢに格納されていた機密文字列「東京都ＸＸＸ−１−２」は、枠９０Ｂに囲まれ、フィールドＣに格納されていた機密文字列「江戸」は、枠９０Ｃに囲まれ、フィールドＤに格納されていた機密文字列「冬彦」は、枠９０Ｄに囲まれている。また、フィールドＡの配置対象エリアであるエリアＡは枠９１Ａに囲まれ、フィールドＢの配置対象エリアであるエリアＢは枠９１Ｂに囲まれ、フィールドＣの配置対象エリアであるエリアＣは枠９１Ｃに囲まれ、フィールドＤの配置対象エリアであるエリアＤは枠９１Ｄに囲まれている。ここで、図８では判別できないが、枠９０Ａ〜枠９０Ｄは、それぞれ異なる色で表示されている。また、枠９１Ａは枠９０Ａと同じ色で表示され、枠９１Ｂは枠９０Ｂと同じ色で表示され、枠９１Ｃは枠９０Ｃと同じ色で表示され、枠９１Ｄは枠９０Ｄの色と同じ色で表示されている。そのため、機密文字列「ＡＡＡ−ａａａａ」がダミー文字列「ＸＸＸ−ｘｘｘｘ」で置換され、機密文字列東京都ＸＸＸ−１−２」がダミー文字列「石川県ＸＸＸ−１−１」で置換され、機密文字列「江戸」がダミー文字列「山田」で置換され、機密文字列「冬彦」がダミー文字列「太郎」で置換されたことを発注者が把握しやすくなっている。
【００５７】
その後、印刷結果画像や見積金額を確認した発注者が所定操作を行うと、クライアント装置２の制御部１０は、発注要求データを印刷装置４に送信し（Ｓ１１５）、注目印刷対象データをＣＤ−ＲＯＭやＤＶＤ−ＲＯＭ等の記憶媒体に記憶させる（Ｓ１１６）。そして、発注者は、この記憶媒体を印刷業者へ郵送する。
【００５８】
一方、発注要求データを受信すると、印刷装置４の制御部４０は、Ｓ１０４のステップで受信した印刷指示と、Ｓ１０７のステップで受信した注目印刷対象データの識別情報と、を関連づけて補助記憶部４６に記憶する（Ｓ１１７）。
【００５９】
［５．印刷装置で実行される処理］
図９は、印刷対象データが格納された記憶媒体を発注者から受け取った印刷業者が所定操作を行った場合に、印刷装置４で実行される処理を示す図である。この処理は、上記受注用プログラムに従って制御部４０が動作することにより、実行される。
【００６０】
制御部４０は、記憶媒体の記憶内容を読み出す（Ｓ３０１）。本実施形態の場合、制御部４０は、記憶媒体に格納される印刷対象データを読み出す。
【００６１】
そして、制御部４０は、記憶媒体から読み出した情報に基づいて、記憶媒体に格納される印刷対象データの識別情報を取得する（Ｓ３０２）。本実施形態の場合、記憶媒体から読み出した印刷対象データの内容に基づいて、該印刷対象データの識別情報を取得する。具体的には、記憶媒体から読み出した印刷対象データのハッシュ値を生成し、当該生成したハッシュ値を、該印刷対象データの識別情報として取得する。
【００６２】
そして、制御部４０は、補助記憶部４６に記憶される印刷指示ごとに、該印刷指示に関連づけられた識別情報が、Ｓ３０２のステップで取得した識別情報と一致するか否かを判定することにより、補助記憶部４６に記憶される印刷指示のうち、該印刷指示に関連づけられた識別情報がＳ３０２のステップで取得した識別情報と一致している印刷指示（以下、基準印刷指示と記載する）を特定する（Ｓ３０３）。
【００６３】
そして、制御部４０は、記憶媒体に格納される印刷対象データを対象として、基準印刷指示に基づく印刷処理を実行する（Ｓ３０４）。すなわち、制御部４０は、印刷対象データに含まれる各レコードを対象として、基準印刷指示に基づく印刷処理を実行する。例えば、レコードＸを対象として印刷処理を実行する場合、制御部４０は、基準印刷指示に含まれるＩＤを有するひな形を補助記憶部４６から読み出した上で、基準印刷指示に含まれるエリア情報を参照しながら、レコードＸの各フィールドに格納された文字列を、該フィールドの配置対象エリアに配置することにより、印刷結果画像を生成する。そして、制御部４０は、この印刷結果画像を画像形成部５０に印刷させる。
【００６４】
Ｓ３０３及びＳ３０４に示す処理により、結果的に、制御部４０は、Ｓ１０７のステップで受信した識別情報が、Ｓ３０２のステップで取得した識別情報と一致する場合に、記憶媒体に記憶される印刷対象データを対象として、Ｓ１０４のステップで受信した印刷指示に基づく印刷処理を実行することとなる。そのため、記憶媒体に格納される印刷対象データに対してなされた印刷指示を印刷業者が手作業で特定しなくても、記憶媒体に格納される印刷対象データに対してなされた印刷指示に基づく印刷処理が、該印刷対象データを対象として実行されることとなる。
【００６５】
［６．機能ブロック］
図１０は、クライアント装置２及び印刷装置４の各々が有する機能を示す機能ブロック図である。同図に示すように、クライアント装置２は、印刷指示送信部６０と、評価用レコード送信部６２と、識別情報送信部６４と、案内部６５と、を含む。これらの機能は、制御部１０が上記発注用プログラムに従って動作することにより実現される。一方、印刷装置４は、印刷指示受信部７０と、識別情報受信部７２と、印刷結果画像生成部７４と、印刷結果画像送信部７６と、識別情報取得部７８と、印刷実行部８０と、を含む。これらの機能は、制御部４０が、上記受注用プログラムに従って動作することにより実現される。
【００６６】
まず、クライアント装置２が有する機能について説明する。
【００６７】
［印刷指示送信部］
印刷指示送信部６０は、制御部１０と通信インタフェース２０とを主として実現される。印刷指示送信部６０は、印刷指示を印刷装置４に送信する（図４のＳ１０３）。
【００６８】
［識別情報送信部］
識別情報送信部６４は、制御部１０と通信インタフェース２０とを主として実現される。識別情報送信部６４は、識別情報生成部６４Ａを含む。識別情報送信部６４は、印刷指示の対象となる印刷対象データ（以下、注目印刷対象データと記載する）の識別情報を印刷装置４に送信する。
【００６９】
［識別情報生成部］
本実施形態の場合、識別情報生成部６４Ａが、注目印刷対象データの内容に基づいて、注目印刷対象データの識別情報を生成する（図４のＳ１０５）。例えば、識別情報生成部６４Ａは、公知のアルゴリズムを用いて注目印刷対象データのハッシュ値を、注目印刷対象データの識別情報として生成する。
【００７０】
そして、識別情報送信部６４が、識別情報生成部Ａが生成した識別情報を、印刷装置４に送信する（図４のＳ１０６）。
【００７１】
［評価用レコード送信部］
評価用レコード送信部６２は、制御部１０と通信インタフェース２０とを主として実現される。評価用レコード送信部６２は、機密文字列置換部６２Ｂと、ダミー文字列決定部６２Ｃと、を含む。評価用レコード送信部６２は、注目印刷対象データに含まれるレコードのうちの少なくとも一部のレコードを評価用レコードとして、印刷装置４に送信する（図４のＳ１０８及びＳ１１１）。
【００７２】
［情報量取得部］
すなわち、情報量取得部６２Ａが、注目印刷対象データに含まれる情報量を表す数値として、注目印刷対象データに含まれるレコードのレコード数を取得する（図５のＳ２０１）。そして、情報量取得部６２Ａは、取得したレコード数が所定条件を満足するか否かを判定した上で（図５のＳ２０２）、レコード数が所定条件を満足する場合に注目印刷対象データに含まれるレコードのうちの一部を評価用レコードとして取得する。本実施形態の場合、情報量取得部６２Ａは、レコード数が基準数Ｎよりも大きい場合、すなわちレコード数が前記所定条件を満足する場合に、注目印刷対象データに含まれるレコードのうちの一部のレコードを評価用レコードとして取得し（図５のＳ２０４）、レコード数が基準数Ｎ以下である場合、すなわちレコード数が前記所定条件を満足しない場合に、注目印刷対象データに含まれる全てのレコードを評価用レコードとして取得する（図５のＳ２０３）。
【００７３】
［機密文字列置換部］
機密文字列置換部６２Ｂは、情報量取得部６２Ａにより取得された評価用レコードに機密条件を満足する機密文字列が含まれる場合、該機密文字列をダミー文字列で置換する（図４のＳ１０９及びＳ１１０）。具体的には、評価用レコード送信部６２が、評価用レコードに機密文字列を含む置換対象フィールドがあるか否かを判定する。例えば、評価用レコード送信部６２は、基準レコードＳを参照し、機密種別の名称を表す文字列のいずれかを含む文字列が格納されている置換対象フィールドがあるか否かを判定する。
【００７４】
［ダミー文字列決定部］
そして、置換対象フィールドが存在する場合、機密文字列置換部６２Ｂが、置換対象フィールドに含まれる機密文字列をダミー文字列で置換する。この際、ダミー文字列決定部６２Ｃは、ダミー文字列を、そのダミー文字列で置換する機密文字列の内容に基づいて決定する。例えば、ダミー文字列決定部６２Ｃは、機密文字列と同じ文字数を有する文字列を、ダミー文字列として決定する。この場合、評価用レコード送信部６２は、機密文字列置換部６２Ｂにより機密文字列がダミー文字列で置換された評価用レコードを印刷装置４に送信することとなる（図４のＳ１１１）。
【００７５】
なお、評価用レコード送信部６２は、情報量取得部６２Ａにより取得されたレコード数を、印刷装置４に送信することも行う（図４のＳ１１１）。
【００７６】
［案内部］
案内部６５は、制御部１０と通信インタフェース２０とを主として実現される。案内部６５は、機密文字列がダミー文字列で置換された評価用レコードが前記評価用レコード送信部６２によって印刷装置４に送信された場合に、どの機密文字列がどのダミー文字列で置換されたかを案内する（図４のＳ１１４）。例えば、案内部６５は、どの機密文字列がどのダミー文字列で置換されたかを案内する画像を表示部１８に表示させる（図８参照）。
【００７７】
次に、印刷装置４が有する機能について説明する。
【００７８】
［印刷指示受信部］
印刷指示受信部７０は、制御部４０と通信インタフェース４４とを主として実現される。印刷指示受信部７０は、印刷指示送信部６０により送信された印刷指示を受信する（図４のＳ１０４）。
【００７９】
［識別情報受信部］
識別情報受信部７２は、制御部４０と通信インタフェース４４を主として実現される。識別情報受信部７２は、識別情報送信部６４により送信された識別情報を受信する（図４の１０７）。
【００８０】
［印刷結果画像生成部］
印刷結果画像生成部７４は、制御部４０を主として実現される。印刷結果画像生成部７４は、評価用レコード送信部６２により送信された評価用レコードを対象として、印刷指示受信部７０により受信された印刷指示に基づく印刷処理を行った場合の印刷結果を表す印刷結果画像を生成する（図４のＳ１１２）。
【００８１】
また、印刷結果画像生成部７４は、評価用レコード送信部６２により送信されたレコード数に基づいて、該レコード数に応じた数値、すなわち、該レコード数に応じた見積金額を取得する（図４のＳ１１２）。例えば、印刷結果画像生成部７４は、該レコード数を用いた演算を行ったり、レコード数と見積金額とを対応付けてなるテーブルから、評価用レコード送信部６２により送信されたレコード数に対応する見積金額を読み出すことにより、見積金額を取得する。
【００８２】
［印刷結果画像送信部］
印刷結果画像送信部７６は、制御部４０と通信インタフェース４４とを主として実現される。印刷結果画像送信部７６は、印刷結果画像生成部７４により生成された印刷結果画像をクライアント装置２に送信する（図４のＳ１１３）。また、印刷結果画像送信部７６は、印刷結果画像生成部７４により取得された見積金額もクライアント装置２に送信する（図４のＳ１１３）。
【００８３】
［識別情報取得部］
識別情報取得部７８は、制御部４０と情報読取装置とを主として実現される。識別情報取得部７８は、識別情報生成部７８Ａを含む。識別情報取得部７８は、印刷対象データが格納された記憶媒体から読み取られた情報に基づいて、該印刷対象データの識別情報を取得する（図９のＳ３０２）。
【００８４】
［識別情報生成部］
本実施形態の場合、識別情報取得部７８は、上記記憶媒体から読み取られた印刷対象データに基づいて、該印刷対象データの識別情報を取得する（図９のＳ３０１及びＳ３０２）。具体的には、上記記憶媒体から読み取られた印刷対象データの内容に基づいて識別情報生成部７８Ａが生成した識別情報を、該印刷対象データの識別情報として取得する。例えば、識別情報取得部７８は、識別情報生成部７８Ａが生成した、上記記憶媒体から読み取られた印刷対象データのハッシュ値を、該印刷対象データの識別情報として取得する。
【００８５】
［印刷実行部］
印刷実行部８０は、制御部４０と画像形成部５０を主として実現される。印刷実行部８０は、識別情報受信部７２により受信された識別情報と、識別情報取得部７８により取得された識別情報と、が一致する場合に、上記記憶媒体に格納される印刷対象データを対象として、印刷指示受信部７０により受信された印刷指示に基づいて印刷処理を実行する（図７のＳ３０３及びＳ３０４）。
【００８６】
［７．変形例］
なお、本発明は、以上に説明した実施形態に限定されるものではない。
【００８７】
例えば、上記実施形態では、機密情報（すなわち、機密文字列）が文字列であるものとしているが、機密情報は文字列だけに限らない。例えば、機密情報は図形であってもよい。
【００８８】
また、例えば、印刷指示には、ひな形のＩＤや、エリア情報だけでなく、各レコードを印刷する順序に関する情報や、印刷様式を指定する情報などが含まれてもよい。
【００８９】
また、例えば、クライアント装置２の制御部１０は、Ｓ１１６のステップにおいて、注目印刷対象データだけでなく、Ｓ１０５のステップで生成した識別情報を、記憶媒体に記憶させるようにしてもよい。こうした上で、印刷装置４の制御部４０は、Ｓ３０１のステップにおいて、記憶媒体に格納されている識別情報を読み出し、Ｓ３０２のステップにおいて、この識別情報を、記憶媒体に格納されている印刷対象データの識別情報として取得してもよい。
【００９０】
また、上記実施形態では、印刷対象データの識別情報として、その印刷対象データのハッシュ値が用いられているが、印刷対象データの識別情報が、その印刷対象データを一意に識別できる情報であるならば、印刷対象データの識別情報がその印刷対象データのハッシュ値である必要はない。
【００９１】
また、例えば、予め定められたエリアが或るフィールドの配置対象エリアとして発注者が選択した場合に、そのフィールドが置換対象フィールドとして設定されてもよい。
【００９２】
また、クライアント装置２の制御部１０は、Ｓ１０８のステップにおいて評価用レコードとして読み出すレコードを、予め定められた基準に従って決定するようにしてもよい。例えば、クライアント装置２の制御部１０は、各フィールドに含まれる文字数に関する基準に従って、評価用レコードとして読み出すレコードを決定するようにしてもよい。
【００９３】
また、例えば、印刷対象データの識別情報は、その印刷対象データに含まれる各レコードのハッシュ値の集合であってもよい。
【００９４】
また、例えば、印刷対象データは、文書データであってもよい。この場合、文書データに機密文字列が含まれていたら、該機密文字列をダミー文字列で置換すればよい。
【符号の説明】
【００９５】
１  印刷システム、２  クライアント装置、４  印刷装置、１０，４０  制御部、１２，４２  主記憶部、１４，４６  補助記憶部、１６，４８  操作部、１８  表示部、２０，４４  通信インタフェース、５０  画像形成部、６０  印刷指示送信部、６２  評価用レコード送信部、６２Ａ  情報量取得部、６２Ｂ  機密文字列置換部、６２Ｃ  ダミー文字列決定部、６４  識別情報送信部、６４Ａ，７８Ａ  識別情報生成部、６５  案内部、７０  印刷指示受信部、７２  識別情報受信部、７４  印刷結果画像生成部、７６  印刷結果画像送信部、７８  識別情報取得部、８０  印刷実行部、９０，９１  枠、９２  見積結果表示欄、９３  印刷結果表示欄、９４  機密文字列表示欄。
【図１】
2010186326.tif 000003
【図２】
2010186326.tif 000004
【図３】
2010186326.tif 000005
【図４】
2010186326.tif 000006
【図５】
2010186326.tif 000007
【図６】
2010186326.tif 000008
【図７】
2010186326.tif 000009
【図８】
2010186326.tif 000010
【図９】
2010186326.tif 000011
【図１０】
2010186326.tif 000012